(57)【要約】【課題】表示の確認や操作等の際に、逐一電源装置を取り出す必要のない空調衣服を提供する。【解決手段】服本体１と、服本体１の内部に空気を導入するファン２，２と、ファン２，２に電力を供給する電源部３と、電源部３に有線通信又は無線通信により接続され、ファン２，２に供給される電力の制御を行う制御部４と、制御部４を服本体１の前身頃に着脱自在に保持する制御部保持手段と、を備える。【選択図】図１
2018193622.tif 000002
【特許請求の範囲】
【請求項１】
服本体と、
前記服本体の内部に空気を導入する空気導入手段と、
前記空気導入手段に電力を供給する電源部と、
前記電源部に有線通信又は無線通信により接続され、前記空気導入手段に供給される電力の制御を行う制御部と、
前記制御部を前記服本体の前身頃に着脱自在に保持する制御部保持手段と、
を備えることを特徴とする空調衣服。
【請求項２】
前記制御部は、前記制御部保持手段によって保持された状態で着用者によって視認可能な表示手段を備えることを特徴とする請求項１に記載の空調衣服。
【請求項３】
前記表示手段は、前記制御部の上面に備えられた複数のライトであることを特徴とする請求項２に記載の空調衣服。
【請求項４】
前記制御部は、前記制御部保持手段によって保持された状態で着用者によって操作可能な操作手段を備えることを特徴とする請求項１から３のいずれか一項に記載の空調衣服。
【請求項５】
前記服本体は前身頃に形成された前身頃開口部を備えることを特徴とする請求項１から４のいずれか一項に記載の空調衣服。
【請求項６】
前記制御部保持手段は、前記前身頃開口部を覆うポケットであることを特徴とする請求項５に記載の空調衣服。
【請求項７】
前記制御部は、後面側に、前記前身頃開口部と外部空間との間の空気の流通路を確保する空間確保手段を備えることを特徴とする請求項６に記載の空調衣服。
【請求項８】
前記制御部は前記前身頃開口部を貫通して前記服本体に取り付けられ、前記制御部と前記前身頃開口部との間に、前記服本体の内部と外部空間とを接続する空気の流通路が形成されることを特徴とする請求項５に記載の空調衣服。
【請求項９】
前記制御部は、
前記電源部及び前記空気導入手段と接続ケーブルによって接続され、
前記空気導入手段に供給する電力の強度を変換する電力変換手段を備えることを特徴とする請求項１から８のいずれか一項に記載の空調衣服。
【請求項１０】
前記制御部は、
前記電源部の電池残量を測定する電池残量測定手段と、
前記電力変換手段に対し電力強度を指示する電力強度指示手段と、を備えることを特徴とする請求項９に記載の空調衣服。
【請求項１１】
前記空気導入手段はファンであり、
前記服本体は前身頃に形成された前身頃開口部を備え、
前記ファンは、前記前身頃開口部に向くように傾いた状態で、前記服本体に取り付けられることを特徴とする請求項１〜１０のいずれか一項に記載の空調衣服。
【請求項１２】
生体情報の測定を行う生体センサーを備え、
前記制御部は、前記生体センサーと通信を行うための通信手段を備え、前記生体センサーから受信した情報を基に着用者の体調に関する表示を行うことを特徴とする請求項１〜１１のいずれか一項に記載の空調衣服。
【発明の詳細な説明】
【技術分野】
【０００１】
本発明は、空調衣服に関するものである。
【背景技術】
【０００２】
近年、身体を冷却する空調衣服が実用化され、急速に普及しつつある。従来の空調衣服は、通気性の低い素材で形成された服本体と、服本体の後側の下方に取り付けられた２つのファンと、２つのファンに電力を供給するための電源装置と、電源装置と２つのファンとを電気的に接続するための電源ケーブルと、を備える。
【０００３】
ファンを作動させると、大量の空気がファンから服本体内に取り込まれる。取り込まれた空気の圧力により服本体と着用者の身体との間に空気流通路が自動的に形成され、取り込まれた空気は、形成された空気流通路を着用者の身体又は下着の表面に沿って流通し、例えば、襟部や袖部の開口部から外部に排出される。
そして、取り込まれた空気が、服本体と着用者の身体又は下着との間の空気流通路を流通する間に、身体から出た汗を蒸発させ、蒸発する際の気化熱により身体が冷却される（例えば、特許文献１参照）。
【先行技術文献】
【特許文献】
【０００４】
【特許文献１】国際公開第２００５／０６３０６５号
【発明の概要】
【発明が解決しようとする課題】
【０００５】
従来の空調衣服において、ファンに供給する電力の強度の調整等を行うための制御部は、電源装置に一体的に設けられ、これが服本体の内側に備えられていた。したがって、着用者が制御部に備えられた表示手段の表示を確認したり、制御部に備えられた操作手段を操作したりする際には、電源装置を逐一取り出す必要があり、非常に不便であった。
【０００６】
本発明の課題は、表示の確認や操作等の際に、逐一電源装置を取り出す必要のない空調衣服を提供することにある。
【課題を解決するための手段】
【０００７】
上記課題を解決するため、請求項１に記載の発明は、空調衣服において、
服本体と、
前記服本体の内部に空気を導入する空気導入手段と、
前記空気導入手段に電力を供給する電源部と、
前記電源部に有線通信又は無線通信により接続され、前記空気導入手段に供給される電力の制御を行う制御部と、
前記制御部を前記服本体の前身頃に着脱自在に保持する制御部保持手段と、
を備えることを特徴とする。
【０００８】
請求項２に記載の発明は、請求項１に記載の空調衣服において、
前記制御部は、前記制御部保持手段によって保持された状態で着用者によって視認可能な表示手段を備えることを特徴とする。
【０００９】
請求項３に記載の発明は、請求項２に記載の空調衣服において、
前記表示手段は、前記制御部の上面に備えられた複数のライトであることを特徴とする。
【００１０】
請求項４に記載の発明は、請求項１から３のいずれか一項に記載の空調衣服において、
前記制御部は、前記制御部保持手段によって保持された状態で着用者によって操作可能な操作手段を備えることを特徴とする。
【００１１】
請求項５に記載の発明は、請求項１から４のいずれか一項に記載の空調衣服において、
前記服本体は前身頃に形成された前身頃開口部を備えることを特徴とする。
【００１２】
請求項６に記載の発明は、請求項５に記載の空調衣服において、
前記制御部保持手段は、前記前身頃開口部を覆うポケットであることを特徴とする。
【００１３】
請求項７に記載の発明は、請求項６に記載の空調衣服において、
前記制御部は、後面側に、前記前身頃開口部と外部空間との間の空気の流通路を確保する空間確保手段を備えることを特徴とする。
【００１４】
請求項８に記載の発明は、請求項５に記載の空調衣服において、
前記制御部は前記前身頃開口部を貫通して前記服本体に取り付けられ、前記制御部と前記前身頃開口部との間に、前記服本体の内部と外部空間とを接続する空気の流通路が形成されることを特徴とする。
【００１５】
請求項９に記載の発明は、請求項１から８のいずれか一項に記載の空調衣服において、
前記制御部は、
前記電源部及び前記空気導入手段と接続ケーブルによって接続され、
前記空気導入手段に供給する電力の強度を変換する電力変換手段を備えることを特徴とする。
【００１６】
請求項１０に記載の発明は、請求項９に記載の空調衣服において、
前記制御部は、
前記電源部の電池残量を測定する電池残量測定手段と、
前記電力変換手段に対し電力強度を指示する電力強度指示手段と、を備えることを特徴とする。
【００１７】
請求項１１に記載の発明は、請求項１〜１０のいずれか一項に記載の空調衣服において、
前記空気導入手段はファンであり、
前記服本体は前身頃に形成された前身頃開口部を備え、
前記ファンは、前記前身頃開口部に向くように傾いた状態で、前記服本体に取り付けられることを特徴とする。
【００１８】
請求項１２に記載の発明は、請求項１〜１１のいずれか一項に記載の空調衣服において、
生体情報の測定を行う生体センサーを備え、
前記制御部は、前記生体センサーと通信を行うための通信手段を備え、前記生体センサーから受信した情報を基に着用者の体調に関する表示を行うことを特徴とする。
【発明の効果】
【００１９】
本発明によれば、表示の確認や操作等の際に、逐一電源装置を取り出す必要のない空調衣服を提供することができる。
【図面の簡単な説明】
【００２０】
【図１】第１実施形態に係る空調衣服の開閉手段を閉じた状態における正面図（ａ）及び背面図（ｂ）である。
【図２】第１実施形態に係る空調衣服の開閉手段を開いた状態における正面図である。
【図３】第１実施形態に係る空調衣服の電気系統の接続状態を示す模式図である。
【図４】図１（ａ）のIV-IV部における断面図である。
【図５】第１実施形態に係る空調衣服のファンを示す図である。
【図６】第１実施形態に係る空調衣服の制御部の背面図（ａ）及び平面図（ｂ）である。
【図７】第１実施形態に係る空調衣服の空気の流れを示す図であり、（ａ）は正面図、（ｂ）は背面図である。
【図８】第２実施形態に係る空調衣服の開閉手段を開いた状態における正面図である。
【図９】第２実施形態に係る空調衣服の電気系統の接続状態を示す模式図である。
【図１０】第３実施形態に係る空調衣服の開閉手段を開いた状態における正面図である。
【図１１】第３実施形態に係る空調衣服の電気系統の接続状態を示す模式図である。
【図１２】変形例１に係る空調衣服の制御部の正面図（ａ）及び側面図（ｂ）である。
【図１３】変形例１に係る空調衣服の正面図である。
【図１４】図１３のXIV-XIV部における断面図である。
【図１５】変形例１に係る空調衣服の前身頃開口部及び覆い布を示す正面図である。なお、破線は縫い目を表し、点線は覆い布の後方の前身頃開口部を表す。
【図１６】図１３のXVI-XVI部における断面図である。
【図１７】その他の変形例に係る制御部及びその周囲を示す断面図である。
【図１８】その他の変形例に係る制御部及びその周囲を示す断面図である
【図１９】その他の変形例に係る制御部及びその周囲を示す断面図である
【図２０】その他の変形例に係るファンを示す図である
【発明を実施するための形態】
【００２１】
以下、本発明の実施形態である空調衣服について、図１から図１５に基づいて説明する。ただし、本発明の技術的範囲は図示例に限定されない。
なお、以下においては、着用者が空調衣服を着用した状態を基準として、着用者の前側を前、着用者の後側を後、着用者の上側を上、着用者の下側を下、着用者の右手側を右、着用者の左手側を左と定めて説明する。
【００２２】
［第１実施形態］
第１実施形態に係る空調衣服１００について、図１から図７に基づいて説明する。
【００２３】
｛実施形態の構成｝
第１実施形態に係る空調衣服１００は、図１〜図３に示すように、服本体１と、服本体１内部に空気を導入するファン２，２と、ファン２，２に電力を供給する電源部３と、空調衣服１００の制御を行う制御部４と、電源部３と制御部４とを接続する電源部〜制御部接続ケーブル５と、ファン２，２と制御部４とを接続する制御部〜ファン接続ケーブル６と、を備える。
【００２４】
（服本体）
服本体１は、図１及び図２に示すように、服地部１１と、開閉手段１２と、裾部空気漏れ防止手段１３と、制御部収納ポケット１４と、電源部収納ポケット１５と、開口孔補強部材１６，１６と、を備える。
【００２５】
（服地部）
服地部１１は、図１及び図２に示すように、通気性のないシート状部材又はファン２、２による空気の導入によって膨らませることができる程度の通気性を有するシート状部材によって、着用者の胴部及び腕部を覆う形状に形成されている。本実施形態では、服地部１１をブルゾン型の上衣の形状に形成しているが、服地部１１の形状はこれに限られず、例えば着用者の胴部のみを覆うベスト型に形成してもよい。
服地部１１には、２つの開口孔１１１、１１１と、襟部空気排出部１１２と、袖部空気排出部１１３、１１３と、前身頃開口部１１４と、が形成されている。
【００２６】
開口孔１１１、１１１は、図１に示すように、服地部１１の着用者の腰の左右に対応する位置に形成された、空調衣服１００の着用時において、外部と、服地部１１と着用者の身体ＢＤとの間の空間と、を繋ぐこととなる孔部である。２つの開口孔１１１，１１１は、略同一の高さに形成されている。そして、開口孔１１１，１１１にはファン２，２が取り付けられる。
なお、開口孔１１１，１１１が形成される位置としては、上記の位置に限られず、服地部１１の側面、前面等に形成することも可能である。また、開口孔１１１が形成される個数は、２か所に限られず、これより少数又は多数の開口孔１１１を形成し、これに対応した数のファン２を備えてもよい。
【００２７】
襟部空気排出部１１２は、ファン２、２によって開口孔１１１，１１１から導入された空気を着用者の身体又は下着に沿って流通させた後に排出するため、着用者の首と服地部１１の襟部の端部との間に形成された開口部である。
【００２８】
袖部空気排出部１１３、１１３は、ファン２、２によって開口孔１１１、１１１から導入された空気を着用者の身体又は下着に沿って流通させた後に排出するため、着用者の腕と服地部１１の袖部の端部との間に形成された開口部である。
【００２９】
前身頃開口部１１４は、図２に示すように、服地部１１の前身頃に設けられた、空調衣服１００の着用時において、外部と、服地部１１と着用者の身体ＢＤとの間の空間と、を繋ぐこととなる孔部であり、図１（ａ）に示すように、服地部１１の外側から制御部収納ポケット１４によって覆われている。
【００３０】
図１及び図２においては、前身頃開口部１１４が着用者の胸部の開閉手段１２近傍の左側に設けられた場合について図示したが、前身頃開口部１１４及びこれを覆う制御部収納ポケット１４が備えられる位置はこれに限られず、前身頃の任意の位置に備えることが可能である。
また、図２においては、前身頃開口部１１４を略四角形状に形成した場合について図示したが、前身頃開口部１１４は、制御部収納ポケット１４によって覆うことができ、かつ十分な空気の流通路を確保することができれば、任意の形状及び大きさを採用可能である。ただし、制御部４が服本体１内に落下しない程度の大きさに形成されることが望ましい。
【００３１】
（開閉手段）
開閉手段１２は、図１及び図２に示すように、服地部１１の前部に備えられ、空調衣服１００を着用する際に、服本体１の前部を開閉するためのものである。開閉手段１２としては、例えば、ファスナー等が用いられる。
【００３２】
（裾部空気漏れ防止手段）
裾部空気漏れ防止手段１３は、図１及び図２に示すように、服地部１１下部に備えられた、服地部１１と着用者の身体ＢＤとの間の空間内の空気が服地部１１の裾部から外部に漏れることを防止するための部材であり、例えば、服地部１１の下部の端部付近に、ゴム紐等の伸縮性のある部材を、着用者の身体を周回するように備えることによって形成される。空調衣服１００の着用時においては、裾部空気漏れ防止手段１３によって、服地部１１の裾部が絞り込まれて着用者の身体ＢＤに密着し、服地部１１下部から空気が外部に漏れることを防止することができる。
【００３３】
（制御部収納ポケット）
制御部収納ポケット１４は、図１及び図４に示すように、服地部１１の前身頃の表面側に、前身頃開口部１１４を覆うように形成されたポケットであり、制御部４が収納される。すなわち、本実施形態においては、制御部収納ポケット１４が本発明における制御部保持手段として機能する。
制御部収納ポケット１４は、シート状の部材を左右及び下部において服地部１１に縫合等の方法によって固定することによって形成され、上部に開口部が形成されている。
【００３４】
また、制御部収納ポケット１４は、図４に示すように、上下方向の長さが制御部４より僅かに長く形成され、制御部４の全体が制御部収納ポケット１４に収納されることが、制御部４の落下防止の観点から望ましいが、制御部４の上部が制御部収納ポケット１４から露出していてもよい。
【００３５】
（電源部収納ポケット）
電源部収納ポケット１５は、図２に示すように、服地部１１の裏面側に形成されたポケットであり、電源部３が収納される。図２においては、電源部収納ポケット１５が、前身頃の前身頃開口部１１４の下方の位置に備えられた場合について図示したが、これに限られず、服地部１１裏面側の任意の位置に備えることが可能である。
なお、電源部３を服本体１に保持するための手段としては、必ずしもポケットを用いる必要はなく、電源部３を服本体１に着脱自在に保持することが可能であれば、任意の構成を使用することができる。また、例えばズボンのベルトに電源部３を取り付ける等の構成により、電源部３が服本体１に保持されないようにすることも可能である。
【００３６】
（開口孔補強部材）
開口孔補強部材１６，１６は、例えばプラスチック等によって形成された扁平な環状の部材であり、中心に開口孔１１１，１１１と大きさが略一致する孔部１６１，１６１を有する。図２に示すように、開口孔補強部材１６，１６は、開口孔１１１，１１１に孔部１６１，１６１が重なるように、服地部１１の裏面側に取り付けられる。これによって、服地部１１の開口孔１１１，１１１周辺が補強され、ファン２，２を開口孔１１１，１１１に取り付けることが可能となる。
開口孔補強部材１６，１６の服地部１１，１１への取り付けには、縫合、接着等任意の方法を用いることができ、また、開口孔補強部材１６，１６を裏面側から覆う裏地が備えられていてもよい。
【００３７】
（ファン）
ファン２，２は、図１及び図２に示すように、開口孔１１１，１１１に取り付けられ、開口孔１１１，１１１を通して、服地部１１と着用者の身体ＢＤとの間の空間に空気を導入するためのものである。すなわち、ファン２，２が本発明における空気導入手段として機能する。
ファン２，２には、電源部３より、電源部〜制御部接続ケーブル５と、制御部４と、制御部〜ファン接続ケーブル６と、を通じて必要な電力が供給される。
【００３８】
ファン２，２は、図５に示すように、ファン本体２１と、これを服本体１に固定するためのリング状の取付けリング２２と、を備える。
【００３９】
ファン本体２１は、内部にプロペラ（不図示）とプロペラを回転させるモーター（不図示）とを収納し、図５に示すように、ファン２、２の使用時において空気が取り込まれる側を構成する空気取込部２１１と、ファン２、２の使用時において空気が送出される側を構成する空気送出部２１２と、空気取込部２１１と空気送出部２１２の間の筒状の連結部である筒状部２１３と、筒状部２１３の空気取込部２１１側の端部から筒状部２１３の側面と略垂直な方向に突出するフランジ部２１４とを有する。筒状部２１３は、その中心軸に垂直な平面で切った際の断面の外形が円形となる円筒状に形成され、その外径は、開口孔１１１，１１１の内径と同一か極僅かに小さくなるように形成されている。
【００４０】
また、ファン本体２１は、空気送出部２１２側の所定の位置に、制御部〜ファン接続ケーブル６と接続されるファン接続端子２１５を有する。ファン接続端子２１５は制御部〜ファン接続ケーブル６に対応した端子である必要があり、本実施形態においては、２芯端子が用いられている。
【００４１】
取付けリング２２は、ファン本体２１を服地部１１の開口孔１１１に取り付けるためのリング状の部材であり、その内径が筒状部２１３の外形と同一か、極僅かに大きくなるように形成されている。
【００４２】
筒状部２１３の外面と、取付けリング２２の内面とには、例えば、取付けリング２２の内面側に凸部が形成され、筒状部２１３の外面側に当該凸部と係合する凹部を形成することにより、係止手段（不図示）が形成されている。
【００４３】
ファン２，２を服本体１に取り付ける際には、図５に示すように、ファン本体２１の空気送出部２１２側を、開口孔１１１に服地部１１の外面側から挿入して、フランジ部２１４が、服地部１１の開口孔１１１周囲の部分と接するようにする。次に、取付けリング２２を、服地部１１の内面側から筒状部２１３の外側に差し込むことにより、フランジ部２１４と取付けリング２２とによって、服地部１１の開口孔１１１周囲の部分及び開口孔補強部材１６の孔部１６１周囲の部分を挟み込み、その状態で係止手段によって取付けリング２２をファン本体２１に固定する。
これによって、ファン２を服本体１に固定することができる。
【００４４】
（電源部）
電源部３は、ファン２，２及び制御部４に電力を供給するための部材であり、例えば、安全保護回路が付加されたリチウムイオン組電池が内蔵され、図３に示すように、電源部〜制御部接続ケーブル５を通じて制御部４と接続するための、電源部第１接続端子３１を備える。
電源部第１接続端子３１は電源部〜制御部接続ケーブル５に対応した端子である必要があり、本実施形態においては、２芯端子が用いられている。
また、図２に示したように、本実施形態においては、電源部３は、電源部収納ポケット１５に収納されているが、上記のように電源部３を保持するための手段はこれに限られない。
【００４５】
（制御部）
制御部４は、空調衣服１００の制御を行うための部材であり、従来の空調衣服と異なり、電源部３と一体的に形成されることなく、独立して備えられている。
【００４６】
制御部４には、電源部３から供給された電力を複数段階の強度でファンに供給する電力変換回路（不図示）と、電源部３の電池の残量を測定する残量測定回路（不図示）と、電力変換回路に強度を指示する強度指示回路（不図示）と、が内蔵されている。すなわち、電力変換回路が本発明における電力変換手段として機能し、残量測定回路が本発明における電池残量測定手段として機能し、強度指示回路が本発明における電力強度指示手段として機能する。
【００４７】
また、図６に示すように、制御部４の上面には複数のＬＥＤからなる表示手段４１が備えられ、右側面には操作手段４２としてのタクタイルスイッチが備えられ、後面下部には、制御部第１接続端子４３と、制御部第２接続端子４４と、が備えられている。
【００４８】
制御部４の外形は、図６（ａ）に示す様に背面視において上下方向に長く、また図６（ｂ）に示すように平面視において左右方向に長い略直方体状に形成され、後面側の左右方向両端部には、後方に向けて延出する壁部である空間確保手段４５，４５が形成されている。
制御部４の外形は、上下方向の幅が左右方向の幅よりも広く、左右方向の幅が前後方向の幅よりも広くなるように形成されていることが望ましい。
【００４９】
（表示手段）
表示手段４１は、制御部４上面に備えられた複数（図６（ｂ）においては４つ）のＬＥＤからなり、操作手段４２による着用者の操作に応じて、電池の残量、ファンに供給する電力の強度、回路の異常等についての表示を行う。
なお、表示手段４１の位置及び表示方法は図示したものに限られず、空調衣服１００の着用者が、制御部４を制御部収納ポケット１４に収納した状態のままで視認可能であれば、任意の位置及び表示方法を選択可能である。
例えば、表示手段４１として液晶等で構成されたディスプレイを設けてもよい。また、制御部４の上下方向の長さが制御部収納ポケット１４の上下方向の長さよりも長い場合においては、表示手段４１を、制御部４の前面上部又は側面上部の外部に露出した部分に備えることも可能である。
【００５０】
（操作手段）
操作手段４２は、例えばタクタイルスイッチからなり、電源のオン／オフの切り替え、ファン２，２に供給する電力の強度の切り替え等の操作に使用される。
具体的には、例えば、操作手段４２のタクタイルスイッチを長押しすると電源が入り、電源が入った状態では、これを、一度押すと表示手段４１の表示がファン２，２に供給する電力の強度の表示に切り替わり、更に押すとファン２，２に供給する電力の強度が切り替わり、長押しすると電源が切れるように構成される。
また、これに対応して、表示手段４１は、例えば、電源が入った状態では通常は電池の残量が表示され、操作手段４２としてのタクタイルスイッチを押すとファン２，２に供給する電力の強度の表示に切り替わり、操作から数秒が経過すると電池の残量の表示に切り替わるように構成される。
【００５１】
なお、操作手段４２は、必ずしもタクタイルスイッチには限られず、制御部収納ポケット１４に制御部４を収納した状態のまま操作できるものであれば各種の一般的なスイッチを使用可能である。
また、操作手段４２は、制御部収納ポケット１４に制御部４を収納した状態のまま操作できる位置であれば、制御部４の任意の位置に設置可能である。ただし、特に前面に設置する場合においては、例えば着用者が荷物を抱えた際等に、操作手段４２に外部の物体が触れて誤作動が生じることを防止するための手段を講じることが望ましい。具体的には、例えば、制御部４に凹部を設け、当該凹部中に操作手段４２を外部に大きく突出しないように備えることができる。
また、操作手段４２の数は一つには限られず、用途ごとに複数の操作手段４２を備えてもよく、例えば、電源のオン／オフの切り替えに用いられるスイッチと、ファン２，２に供給する電力の強度の切り替えに用いられるスイッチを別のスイッチとすることができる。
【００５２】
（接続端子）
制御部４の後面側には、電源部〜制御部接続ケーブル５と接続するための端子である制御部第１接続端子４３と、制御部〜ファン接続ケーブル６と接続するための端子である制御部第２接続端子４４と、が備えられている。
【００５３】
制御部第１接続端子４３は電源部〜制御部接続ケーブル５に対応した端子である必要があり、本実施形態においては、２芯端子が用いられている。また、制御部第２接続端子４４は、制御部〜ファン接続ケーブル６に対応した端子である必要があり、本実施形態においては、２芯端子が用いられている。
なお、制御部第１接続端子４３と、制御部第２接続端子４４とは、差し間違い防止のため、異なる形状の端子とすることが望ましい。
【００５４】
（空間確保手段）
制御部４の後面側の左右方向両端部には、図４及び図６に示すように、後方に向けて延出する壁面状の空間確保手段４５，４５が備えられている。空間確保手段４５，４５は、制御部４を制御部収納ポケット１４に収納した状態において、前身頃開口部１１４と制御部収納ポケット１４の外部の空間との間の空気の流通路を確保するためのものである。
なお、空間確保手段４５，４５の形状は、図示したものに限られず、制御部４後面側に間隙を生じさせ、前身頃開口部１１４と外部空間との間に空気の流通路を形成させることができるものであれば、任意の形状を使用可能である。
【００５５】
なお、空調衣服１００を着用して行う作業内容によっては、前身頃開口部１１４から排出される空気が作業の妨げとなる場合がある。したがって、必要に応じて前身頃開口部１１４からの空気の排出を止めることができる空気漏れ防止手段が備えられることが望ましい。
空気漏れ防止手段としては、例えば、制御部４に、空間確保手段４５，４５の間の空気流通路を埋めるための、スポンジ等で形成された開閉自在の蓋を備えることができる。
【００５６】
図４に示すように、制御部４は、制御部収納ポケット１４に、表示手段４１が備えられた上面側が、制御部収納ポケット１４上部の開口部を向き、空間確保手段４５，４５が備えられた後面側が着用者の身体ＢＤ側を向くように収納される。
また、制御部４には、前身頃開口部１１４を通じて、制御部第１接続端子４３に電源部〜制御部接続ケーブル５が接続され、制御部第２接続端子４４に制御部〜ファン接続ケーブル６が接続される。
【００５７】
（電源部〜制御部接続ケーブル）
電源部〜制御部接続ケーブル５は、電源部３と制御部４とを接続するケーブルであり、２芯ケーブルが用いられる。電源部〜制御部接続ケーブル５を通じて、電源部３から制御部４に対して、制御部４及びファン２，２の稼働に必要な電力が供給されると共に、電池残量に関する情報が送信される。
【００５８】
電源部〜制御部接続ケーブル５は、図３に示すように、一方の端部に、電源部第１接続端子３１と接続するための２芯端子である電源部〜制御部接続ケーブル第１接続端子５１を有し、他方の端部に、制御部第１接続端子４３と接続するための２芯端子である電源部〜制御部接続ケーブル第２接続端子５２を有し、前身頃開口部１１４を通って、電源部３の電源部第１接続端子３１と、制御部４の制御部第１接続端子４３と、を接続する。
なお、電源部〜制御部接続ケーブル５としては、２芯ケーブルに限られず、上記の機能を果たすことが可能であれば、任意のケーブルを使用可能である。この場合、電源部第１接続端子３１及び制御部第１接続端子４３についても、これに対応した端子とする必要がある。
【００５９】
（制御部〜ファン接続ケーブル）
制御部〜ファン接続ケーブル６は、制御部４とファン２，２とを接続するケーブルであり、２芯ケーブルが用いられる。制御部〜ファン接続ケーブル６を通じて、制御部４からファン２，２に対して、ファン２，２の稼働に必要な電力が供給される。
【００６０】
制御部〜ファン接続ケーブル６は、図３に示すように、一方の端部に、制御部第２接続端子４４と接続するための２芯端子である制御部〜ファン接続ケーブル第１接続端子６１を有し、他方の端部は二股に枝分かれし、夫々の端部に、ファン接続端子２１５，２１５と接続するための２芯端子である制御部〜ファン接続ケーブル第２接続端子６２，６２を有し、前身頃開口部１１４を通って、制御部４の制御部第２接続端子４４と、ファン２，２のファン接続端子２１５，２１５とを接続する。
なお、制御部〜ファン接続ケーブル６としては、２芯ケーブルに限られず、上記の機能を果たすことが可能であれば、任意のケーブルを使用可能である。この場合、制御部第２接続端子４４及びファン接続端子２１５，２１５についても、これに対応した端子とする必要がある。
【００６１】
｛制御部の着脱方法｝
制御部４は、以下の手順を経て、服本体１に取り付けられる。
（１）  制御部収納ポケット１４に制御部４を入れる。この際には、空間確保手段４５，４５が備えられた面が着用者の身体ＢＤ側を向き、また、表示手段４１が備えられた面が、制御部収納ポケット１４上部の開口部を向くように収納する必要がある。
（２）  ファン２，２のファン接続端子２１５，２１５と、制御部〜ファン接続ケーブル６の制御部〜ファン接続ケーブル第２接続端子６２，６２とを接続する。
（３）  電源部３の電源部第１接続端子３１と、電源部〜制御部接続ケーブル５の電源部〜制御部接続ケーブル第１接続端子５１とを接続する。
（４）  制御部４の制御部第２接続端子４４と、制御部〜ファン接続ケーブル６の制御部〜ファン接続ケーブル第１接続端子６１とを接続する。
（５）  制御部４の制御部第１接続端子４３と、電源部〜制御部接続ケーブル５の電源部〜制御部接続ケーブル第２接続端子５２とを接続する。
なお、制御部４の取り外しの際には、上記の逆の手順によって行えばよい。
【００６２】
｛実施形態の効果｝
本実施形態によれば、電源部３と制御部４とが夫々独立して形成され、制御部４が制御部収納ポケット１４に収納されているため、制御部収納ポケット１４を形成するシート状部材の上から操作手段４２のタクタイルスイッチを押すことによって、制御部４を制御部収納ポケット１４に収納したままで、操作手段４２を操作することができる。また、表示手段４１は、制御部収納ポケット１４上部の開口部を向いているため、着用者は視線を下に向けるのみで、空調衣服１００の使用中には電池の残量を確認でき、また、操作手段４２を用いてファン２，２に供給する電力の強度を切り替える際には、電力強度の表示を確認することができる。
【００６３】
したがって、制御部が電源部と一体的に形成された従来の空調衣服とは異なり、表示手段４１の表示を確認する際や、操作手段４２の操作を行う際に、逐一電源部を取り出す必要がなくなり、表示の確認や操作の際の煩わしさを解消することができると共に、操作中に誤って電源部を落下させてしまうことも防止できる。
【００６４】
また、従来の空調衣服のように制御部が電源部と一体的に形成されている場合、機器が破損した際等には、これを一括して交換するしかなく、要する費用が高額であった。しかし、本実施形態によれば、操作部と電源部とが個別に形成されているため、夫々を個別に交換することが可能となり、機器を交換する際に要する費用を低減することができる。
【００６５】
また、制御部４を取り出す際には、これと接続された各ケーブルが引っ張られることとなるため、ケーブルや接続端子に負担が掛かるが、本実施形態によれば、空調衣服１００の着用中に制御部４を取り出す必要がなくなるため、ケーブルや接続端子に掛かる負担を軽減でき、その使用可能期間を延ばすことが出来る。
【００６６】
また、服地部１１の前身頃には、前身頃開口部１１４が備えられており、また、制御部４の後面側には空間確保手段４５，４５が備えられているため、制御部収納ポケット１４に制御部４を収納した状態においても、服地部１１の前身頃に、前身頃開口部１１４及び空間確保手段４５，４５の間の空間を介した一定の空気の流通路が確保される。
これによって、空調衣服１００の使用中は、ファン２，２が外気を取り込み服本体１の内部が陽圧となっているため、当該流通路を介して、常に服本体１内部から外部に空気が排出されることなる。
したがって、前身頃開口部１１４が、前身頃における空気抵抗の安定した空気排出部として機能することとなり、図７に示すように空気が流通し、着用者の腹部付近を効率よく冷却することができる。
【００６７】
また、制御部収納ポケット１４によって前身頃開口部１１４が覆われるため、前身頃開口部１１４によって空調衣服１００の外観を悪化させることがない。また、簡易な構造で前身頃に空気の流通路を形成することができるため、製造コストを大きく増加させてしまうこともない。
【００６８】
また、図４に示すように、制御部収納ポケット１４の上下方向の長さを、制御部４の上下方向の長さより長く形成した場合、制御部４の上端が制御部収納ポケット１４の上端よりも下に位置し、太陽光の下で使用した場合でも制御部４上部に設けられた表示手段４１への日差しが遮られる。これによって、屋外における表示手段４１の視認性を向上させることができる。
【００６９】
また、電源部３が独立しているため、電源部３のみを容易に交換することができる。したがって、用途に応じて、必要な容量の電源部３を選択的に使用することが可能となる。
また、電源部３と、制御部４とが独立しているため、電源部３の取り出し易さを考慮する必要がなくなり、任意の位置に電源部３を備えることが可能となる。これによって、例えば、大容量で重い電源部３を使用する場合には、電源部３をベルトクリップでズボンのベルトに取り付けることによって、重量の負担を軽減することができる。
【００７０】
また、電源部３と制御部４とを切り離すことによって、待機電力がなくなり、追加の充電を行うことなく、空調衣服１００を使用可能な状態で長期間保存しておくことが可能となる。
【００７１】
［第２実施形態］
第２実施形態に係る空調衣服１００Ａについて、図８及び図９に基づいて説明する。なお、第１実施形態に係る空調衣服１００と同一の部分については、同一の符号を付して説明を省略する。
【００７２】
｛実施形態の構成｝
第２実施形態に係る空調衣服１００Ａは、図９に示すように、ファン２，２と電源部３Ａとを直接接続したものである。
【００７３】
（電源部）
電源部３Ａは、電力変換回路を備える。すなわち、第１実施形態に係る空調衣服１００においては制御部４に備えられていた電力変換回路が、第２実施形態に係る空調衣服１００Ａにおいては、電源部３Ａに備えられている。
また、電源部３Ａは、ファン２，２との接続に用いられる２芯端子である電源部第２接続端子３２を有する。
また、制御部４Ａとの接続に用いられる電源部第１接続端子３１Ａは、後述のように多芯ケーブルである電源部〜制御部接続ケーブル５Ａに対応した多芯端子となっている。
なお、電源部第１接続端子３１Ａと、電源部第２接続端子３２とは、差し間違い防止のため、異なる形状の端子とすることが望ましい。
その余の構成は第１実施形態にかかる電源部３と同様である。
【００７４】
（制御部）
制御部４Ａは、図９に示すように、第１実施形態に係る制御部４と異なり、ファン２，２と接続されない。したがって、ファン２，２との接続に用いられる制御部第２接続端子４４は備えられていない。
また、本実施形態においては、電力変換回路は電源部３Ａに備えられるため、制御部４Ａには備えられていない。
また、電源部３Ａとの接続に用いられる制御部第１接続端子４３Ａは、後述のように多芯ケーブルである電源部〜制御部接続ケーブル５Ａに対応した多芯端子となっている。
その余の構成は第１実施形態にかかる制御部４と同様である。
【００７５】
（電源部〜制御部接続ケーブル）
電源部〜制御部接続ケーブル５Ａは、電源部３Ａと制御部４Ａとを接続するケーブルであり、多芯ケーブルが用いられる。電源部〜制御部接続ケーブル５Ａを通じて、制御部４Ａに備えられた強度指示回路の指示が電源部３Ａに備えられた電力変換回路に送信され、また、電源部３Ａから制御部４Ａに対し、制御部４Ａの稼働に必要な電力が供給されると共に、電池残量に関する情報が送信される。
【００７６】
電源部〜制御部接続ケーブル５Ａは、図９に示すように、一方の端部に、電源部第１接続端子３１Ａと接続するための多芯端子である電源部〜制御部接続ケーブル第１接続端子５１Ａを有し、他方の端部に、制御部第１接続端子４３Ａと接続するための多芯端子である電源部〜制御部接続ケーブル第２接続端子５２Ａを有し、前身頃開口部１１４を通って、電源部３Ａの電源部第１接続端子３１Ａと、制御部４Ａの制御部第１接続端子４３Ａと、を接続する。
なお、電源部〜制御部接続ケーブル５Ａとしては、必ずしも多芯ケーブルを用いる必要はなく、例えばグランド線と信号線による２芯ケーブル等、上記の機能を果たすことが可能であれば、任意のケーブルを使用可能である。この場合、電源部第１接続端子３１Ａ及び制御部第１接続端子４３Ａについても、これに対応した端子とする必要がある。
【００７７】
（電源部〜ファン接続ケーブル）
電源部〜ファン接続ケーブル７は、電源部３Ａと、ファン２，２と、を接続するケーブルであり、２芯ケーブルが用いられる。電源部〜ファン接続ケーブル７を通じて、電源部３Ａからファン２，２に対して、ファン２，２の稼働に必要な電力が供給される。
【００７８】
電源部〜ファン接続ケーブル７は、図９に示すように、一方の端部に、電源部第２接続端子３２と接続するための２芯端子である電源部〜ファン接続ケーブル第１接続端子７１を有し、他方の端部は二股に枝分かれし、夫々の端部に、ファン接続端子２１５，２１５と接続するための２芯端子である電源部〜ファン接続ケーブル第２接続端子７２，７２を有し、電源部３Ａの電源部第２接続端子３２と、ファン２，２のファン接続端子２１５，２１５とを接続する。
なお、電源部〜ファン接続ケーブル７としては、２芯ケーブルに限られず、上記の機能を果たすことが可能であれば、任意のケーブルを使用可能である。この場合、電源部第２接続端子３２及びファン接続端子２１５，２１５についても、これに対応した端子とする必要がある。
【００７９】
｛実施形態の効果｝
本実施形態によれば、第１実施形態と異なり、制御部４Ａには電力変換回路が備えられておらず、代わりに電源部３Ａに電力変換回路が備えられている。これによって、制御部４Ａに内蔵されている主要な回路は、電源部３Ａの電池の残量を測定する残量測定回路及び電源部３Ａに備えられた電力変換回路に強度を指示する強度指示回路のみであり、強度指示回路の指示が、電源部〜制御部接続ケーブル５Ａを通じて、制御部４Ａから電源部３Ａに送られ、電源部３Ａにおいて電力の変換が行われることとなる。
そして、電源部３Ａとファン２，２とが直接接続され、変換された電力を、電源部３Ａがファン２，２に直接供給する。
【００８０】
したがって、本実施形態においては、制御部４Ａは、電力変換回路を内蔵しない分、小型・軽量化することが可能となり、服地部１１の前身頃の外側に備えられる制御部４Ａを小型・軽量化することで、空調衣服１００の着用者の負担を軽減するとともに、制御部が着用者の作業の妨げとなる可能性を低減することができる。
【００８１】
なお、本実施形態においては、電源部と制御部との間で双方向の通信を行うための手段として、電源部〜制御部接続ケーブル５Ａを用いる場合について説明したが、電源部及び制御部の双方に無線通信用の通信手段を設けることにより、電源部と制御部とを無線通信で接続して使用することも可能である。この場合、制御部には独立して稼働するためのバッテリー等の電源手段が備えられる必要がある。
この場合、電源部と制御部との間を繋ぐケーブルがなくなるため、各機器を自由に配置でき、ケーブルが着用者の邪魔になることも防止できる。
【００８２】
［第３実施形態］
第３実施形態に係る空調衣服１００Ｂについて、図１０及び図１１に基づいて説明する。なお、第１実施形態に係る空調衣服１００と同一の部分については、同一の符号を付して説明を省略する。
【００８３】
｛実施形態の構成｝
第３実施形態に係る空調衣服１００Ｂは、図１１に示すように、独立した電力変換部８を備えたものである。
【００８４】
（制御部）
制御部４Ｂは、図１１に示すように、ファン２，２及び電源部３と接続されない。したがって、制御部第１接続端子４３及び制御部第２接続端子４４は備えられていない。
また、本実施形態においては、電力変換回路は電力変換部８に備えられるため、制御部４Ｂには備えられていない。
【００８５】
また、制御部４Ｂは、無線通信用の通信手段（不図示）を備え、無線通信によって電力変換部８と接続される。これによって、制御部４Ｂは、無線通信によって、電力変換部８に対して強度指示回路の指示を送信するとともに、電力変換部８から、電源部３の電池残量に関する情報を受信することとなる。なお、制御部４Ｂは、電源部と有線接続されないため、独立して稼働するためのバッテリー等の電源手段（不図示）が備えられている。
その余の構成は第１実施形態にかかる制御部４と同様である。
なお、制御部４Ｂと電力変換部８とが、接続ケーブルによって有線接続されるようにすることも可能である。
【００８６】
（電力変換部）
電力変換部８は、電力変換回路を備え、制御部４Ｂの強度指示回路の指示に応じて、電源部３から供給された電力を所定の強度に変換の上、ファン２，２に供給する。また、電源部３から受信した電池残量に関する情報を、制御部４Ｂに送信する。
【００８７】
電力変換部８には、電源部〜電力変換部接続ケーブル９と接続するための端子である電力変換部第１接続端子８１と、電力変換部〜ファン接続ケーブル１０と接続するための端子である電力変換部第２接続端子８２とが備えられている。また、制御部４Ｂとの無線通信を行うための通信手段（不図示）が備えられている。
【００８８】
電力変換部第１接続端子８１は電源部〜電力変換部接続ケーブル９の電源部〜電力変換部接続ケーブル第２接続端子９２に対応した端子である必要があり、本実施形態においては、２芯端子が用いられている。また、電力変換部第２接続端子８２は、電力変換部〜ファン接続ケーブル１０の電力変換部〜ファン接続ケーブル第１接続端子１０１に対応した端子である必要があり、本実施形態においては、２芯端子が用いられている。
なお、電力変換部第１接続端子８１と、電力変換部第２接続端子８２とは、差し間違い防止のため、異なる形状の端子とすることが望ましい。
【００８９】
電力変換部８は、図１０に示すように、服地部１１内側の所定の位置において、例えば服地部１１内側に備えられた電力変換部収納ポケット１７に収納される形で、服本体１に備えられる。また、電源部収納ポケット１５内に、電源部３と共に収納されるようにしてもよい。
なお、電力変換部８を服本体１に保持するための手段としては、必ずしもポケットを用いる必要はなく、電力変換部８を服本体１に着脱自在に保持することが可能であれば、任意の構成を使用することができる。また、例えばズボンのベルトに電力変換部８を取り付ける等の構成により、電力変換部８が服本体１に保持されないようにすることも可能である。
【００９０】
（電源部〜電力変換部接続ケーブル）
電源部〜電力変換部接続ケーブル９は、電源部３と電力変換部８とを接続するケーブルであり、２芯ケーブルが用いられる。電源部〜電力変換部接続ケーブル９を通じて、電源部３から電力変換部８に対して、電力変換部８及びファン２，２の稼働に必要な電力が供給されると共に、電力変換部８から制御部４Ｂに送信されることとなる電池残量に関する情報が送信される。
【００９１】
電源部〜電力変換部接続ケーブル９は、図１１に示すように、一方の端部に、電源部第１接続端子３１と接続するため電源部〜電力変換部接続ケーブル第１接続端子９１を有し、他方の端部に、電力変換部第１接続端子８１と接続するための電源部〜電力変換部接続ケーブル第２接続端子９２を有し、電源部３の電源部第１接続端子３１と、電力変換部８の電力変換部第１接続端子８１と、を接続する。
なお、電源部〜電力変換部接続ケーブル９としては、２芯ケーブルに限られず、上記の機能を果たすことが可能であれば、任意のケーブルを使用可能である。この場合、電源部第１接続端子３１及び電力変換部第１接続端子８１についても、これに対応した端子とする必要がある。
【００９２】
（電力変換部〜ファン接続ケーブル）
電力変換部〜ファン接続ケーブル１０は、電力変換部８とファン２，２とを接続するケーブルであり、２芯ケーブルが用いられる。電力変換部〜ファン接続ケーブル１０を通じて、電力変換部８からファン２，２に対して、ファン２，２の稼働に必要な電力が供給される。
【００９３】
電力変換部〜ファン接続ケーブル１０は、図１１に示すように、一方の端部に、電力変換部第２接続端子８２と接続するための２芯端子である電力変換部〜ファン接続ケーブル第１接続端子１０１を有し、他方の端部は二股に枝分かれし、夫々の端部に、ファン接続端子２１５，２１５と接続するための２芯端子である電力変換部〜ファン接続ケーブル第２接続端子１０２，１０２を有し、電力変換部８の電力変換部第２接続端子８２と、ファン２，２のファン接続端子２１５，２１５とを接続する。
なお、電力変換部〜ファン接続ケーブル１０としては、２芯ケーブルに限られず、上記の機能を果たすことが可能であれば、任意のケーブルを使用可能である。この場合、電力変換部第２接続端子８２及びファン接続端子２１５，２１５についても、これに対応した端子とする必要がある。
【００９４】
｛実施形態の効果｝
本実施形態によれば、第２実施形態と同様に制御部４Ｂを小型・軽量化でき、さらに電源部と電力変換回路が別個に形成されることによって、電源部の構成が複雑化し、電源部が大型かつ高価なものとなることも防止できる。
また、制御部４Ｂが電力変換部８と無線通信を行うようにした場合、制御部４Ｂと電力変換部８とをケーブルによって接続する必要がなくなり、各機器を自由に配置でき、ケーブルが着用者の邪魔になることも防止できる。
【００９５】
［変形例］
以下、上記実施形態の変形例について説明する。
【００９６】
｛変形例１｝
第１実施形態においては、制御部及び服本体の制御部が取り付けられる部分について、以下のように構成することも可能である。
【００９７】
（制御部）
制御部４Ｃは、図１２（ａ）に示すように、略直方体状の主部４Ｃａと、主部４Ｃａ下部に連なるように略直方体状に形成され、正面視において主部４Ｃａと比較して幅の狭い端子取付部４Ｃｂと、により構成されている。
端子取付部４Ｃｂの右側面には制御部第１接続端子４３が備えられ、端子取付部４Ｃｂの左側面には制御部第２接続端子４４が備えらており、電源部〜制御部接続ケーブル５を端子取付部４Ｃｂの右側面に、制御部〜ファン接続ケーブル６を端子取付部４Ｃｂの左側面に接続する。
【００９８】
また、図１２（ｂ）に示すように、操作手段４２Ａとしてのタクタイルスイッチは、主部４Ｃａ前面に配置されている。
【００９９】
主部４Ｃａの前面には、図１２（ａ）及び図１２（ｂ）に示すように、クリップ４６が備えられ、図１３及び図１４に示すように、これを用いて、覆い布１８及び服地部１１Ａの前身頃開口部１１４Ａの縁部を挟むことによって、制御部４Ｃを服地部１１Ａに固定するように構成されている。すなわち、本変形例においては、クリップ４６が本発明における制御部保持手段として機能する。
【０１００】
クリップ４６の、操作手段４２Ａのタクタイルスイッチに対向する部分は、図１２（ｂ）及び図１４に示すように後方に凸となっており、操作手段４２Ａのタクタイルスイッチと近接するようになっている。
【０１０１】
（前身頃開口部）
前身頃開口部１１４Ａは、服地部１１Ａの前身頃において、図１５に示すように、左右方向の切り込みとして形成され、覆い布１８によって覆われている。
【０１０２】
（覆い布）
覆い布１８は、図１３及び図１５に示すように、略矩形状に形成されたシート状の部材であり、左右方向に前身頃開口部１１４Ａより長く形成され、図１５に示すように、左右方向及び下方向の縁部付近並びに前身頃開口部１１４Ａの僅かに下の部分において、服地部１１Ａに縫い付けられている。
【０１０３】
（前身頃開口部及び覆い布の作成手順）
前身頃開口部１１４Ａ及び覆い布１８の具体的作成手順について、制御部４Ｃの主部４Ｃａの左右方向の幅が２ｃｍの場合を例として説明する。
（１）  服地部１１Ａに、左右方向に３ｃｍの切り込みを入れ、前身頃開口部１１４Ａを形成する
（２）  服地部１１Ａと同じ材質の、上下方向２ｃｍ、左右方向４ｃｍの略矩形状のシート状の部材である覆い布１８を、前身頃開口部１１４Ａを覆うように配置する。
（３）  覆い布１８を、左右方向及び下方向の縁部付近並びに前身頃開口部１１４Ａの僅かに下の部分において、服地部１１Ａに縫い付ける。
【０１０４】
（制御部の取り付け手順）
次に制御部４Ｃの取り付け手順について説明する。
（１）  覆い布１８の上端から、制御部４Ｃを、クリップ付のボールペンを胸ポケットに差し込むようにして、前身頃開口部１１４Ａを貫通して下部が服本体１Ａ内に至るように差し込む。
（２）  クリップ４６によって覆い布１８及び服地部１１Ａを挟むようにして、制御部４Ｃを服本体１Ａに固定する。
（３）  服本体１Ａの内側から、電源部〜制御部接続ケーブル５を制御部第１接続端子４３に接続し、制御部〜ファン接続ケーブル６を制御部第２接続端子４４に接続する。
【０１０５】
（変形例１の効果）
本変形例によれば、制御部４Ｃを服本体１Ａに取り付けた状態においても、図１６に示すように、制御部４Ｃの左右に空間が生じることとなる。したがって、制御部の後面側に空間確保手段としての壁部を設けずとも、いわば制御部４Ｃの前後方向の厚みそのものが空間確保手段として機能し、制御部４Ｃの左右の側面と、服地部１１Ａ及び覆い布１８との間に空気排出部が形成され、ここから空気を排出することが可能となる。
【０１０６】
また、本変形例においても、図１６に示すように表示手段４１は制御部４Ｃの上面側に備えられているため、着用者は視線を下方に向けるのみでこれを確認することができる。
また、クリップ４６の、操作手段４２Ａのタクタイルスイッチに対向する部分は、図１２（ａ）及び図１４に示すように後方に凸となり、操作手段４２Ａのタクタイルスイッチと近接するようになっている。したがって、前方からクリップ４６の当該部分を押すことにより、覆い布１８を介して操作手段４２Ａを操作することができ、操作性が向上する。
また、正面視においては、図１３に示すように、覆い布１８及びクリップ４６のみが視認されるようになり、スーツの胸ポケットの左右方向の幅を狭くした形状と類似した外観となり、見栄えがよい。
【０１０７】
なお、上記においては第１実施形態の変形例を例に挙げて説明したが、同様の構成を、第２実施形態又は第３実施形態において用いることも可能である。
【０１０８】
｛その他の変形例｝
（制御部保持手段）
いずれの実施形態においても、本発明における制御部保持手段は、制御部収納ポケット１４に限られず、制御部４を服本体１の前身頃に着脱自在に保持できるものであれば、任意の構成を採用可能である。
具体的には、例えば、実施形態１について、以下のように構成することが可能である。
【０１０９】
図１７に示すように、前面側に制御部保持手段としてのクリップ４６Ａを備え、その余は制御部４と同様に構成された制御部４Ｄを用い、クリップ４６Ａによって、服地部１１Ａの前身頃に左右方向の切り込みとして形成された前身頃開口部１１４Ａの縁部を挟むことによって、制御部４Ｄを服地部１１Ａに固定してもよい。この際、制御部４Ｄの上部が、前身頃開口部１１４Ａから外部に露出するようにする。
この場合、クリップ４６Ａは、制御部４Ｄを服地部１１Ａに固定することが可能であれば任意の形状でよく、例えば図１７に示したように、上下方向に略直線状に形成されたクリップを用いることができる。
また、前身頃開口部は、左右方向の切り込みに限られず、制御部４Ｄを通すことができるものであれば任意の形状に形成することができる。
【０１１０】
また、図１８に示すように、制御部保持手段として、服地部１１Ａの裏面側の前身頃開口部１１４Ａの直下の位置に、保持用ループ１９を備えてもよい。保持用ループ１９は、例えば、シート状の材料によって、その内周の長さが制御部４の外周の長さと同一か、ごく僅かに大きくなるように形成された環状の部材である。
制御部４を上方から保持用ループ１９に通すことによって、制御部４を、上部が前身頃開口部１１４Ａから外部に露出した状態で、服地部１１Ａに固定することができる。
この場合も、前身頃開口部は、左右方向の切り込みに限られず、制御部４を通すことができるものであれば任意の形状に形成することができる。
また、制御部に制御部保持手段としてのクリップを備えた上で、さらに服地部１１Ａに保持用ループ１９を備えてもよい。
【０１１１】
また、図１９に示したように、制御部保持手段として、服地部１１Ａ裏面の前身頃開口部１１４Ａの直下に備えられ、後面側に後面側孔部１４１を備えた制御部収納ポケット１４Ａを備え、制御部収納ポケット１４Ａに収納された制御部４の上部が前身頃開口部１１４Ａを通って外部に露出し、各接続ケーブルは後面側孔部１４１を通って制御部４に接続されるようにしてもよい。
この場合も、前身頃開口部は、左右方向の切り込みに限られず、制御部４を通すことができるものであれば任意の形状に形成することができる。
【０１１２】
また、制御部を前身頃開口部とは離れた位置において服本体に保持するように構成することも可能である。
例えば、制御部保持手段としてのクリップを備えた制御部を用い、当該クリップによって、制御部を服本体外面側の襟等の所定の位置に固定してもよい。この場合、接続ケーブルが邪魔にならないように、制御部は、ケーブルを用いず無線通信によって他の機器と接続されることが望ましい。
また、制御部保持手段を、服地部の前身頃裏面の任意の位置に備えられたポケットとし、これに制御部を収納してもよい。ただし、この場合、表示手段の確認時には、開閉手段のファスナーを開く必要があるため、空調衣服の使用状態においては、表示手段を確認することができなくなる。
【０１１３】
なお、上記においては第１実施形態の変形例を例に挙げて説明したが、同様の構成を、第２実施形態又は第３実施形態において用いることも可能である。
【０１１４】
（ファン）
服本体内部における前身頃開口部への空気の流量を増加させるため、ファンの取り付け角度を変え、ファンによって服本体内部に導入される空気の向きを前身頃開口部に向けてもよい。
【０１１５】
例えば、図１及び図７に示したように、ファンが、着用者の腰部付近の左右両側に備えられ、前身頃開口部が着用者の胸部付近の開閉手段１２近傍に備えられた場合には、左側のファンを左斜め上方に傾けて服地部に固定し、右側のファンを右斜め上方に傾けて服地部に固定することが望ましい。
【０１１６】
ファンを服地部に対し傾けて取り付けるためには、例えば、図１５に示すファン２Ａのように、フランジ部２１４Ａを、筒状部２１３の側面と垂直な方向から所定の各度で傾斜させて形成する。さらに、取付けリング２２Ａの服本体１と当接する側の端部を、取付けリング２２Ａの中心軸に垂直な平面から、フランジ部２１４Ａの傾斜角度と一致する角度で傾斜させて形成する。
この場合、筒状部２１３が服地部の開口孔に斜めに通されることとなり、筒状部２１３の開口孔を通る部分の断面形状が楕円形状となる。したがって、服地部１１Ｂの開口孔１１１Ａ及び開口孔補強部材１６Ａの孔部１６１Ａも、これと一致する楕円形状に形成される必要がある。
【０１１７】
なお、ファンを服地部に対して傾けて取り付けた場合、ファン本体２１Ａの空気送出部２１２から斜めに空気が送出されるため、空調衣服の使用中にファン２Ａが回転してしまうおそれがある。したがって回転防止手段（図示せず）を備えることが望ましい。回転防止手段としては、例えば、以下の３つの方法を用いることができるが、その他の一般的な方法も用いることも出来る。
【０１１８】
（１）  ファン本体の筒状部の外面の開口孔補強部材の孔部を通る部分の適所に凸部又は凹部を形成し、開口孔補強部材の孔部の内周にこれと係合する凹部又は凸部を形成する。
（２）  ファン本体のフランジ部の服地部と当接する側又は取付リングの開口孔補強部材と当接する端部の適所に凸部又は凹部を形成し、開口孔補強部材にこれと係合する凹部又は凸部を形成する。
（３）  ファン近傍の服地部の裏面の適所とファン本体又は取付リングの適所とを紐等の連結手段により連結する。
【０１１９】
（表示手段）
いずれの実施形態においても、表示手段４１の表示は必ずしも常時表示されている必要はなく、スイッチの操作によって短時間のみ表示されるようにしてもよい。これによって、電源部のバッテリーの減少を抑制することができる。
【０１２０】
（接続ケーブル）
上記においては、各接続ケーブルが両端部に接続端子を備え、両端部が着脱自在に形成された場合につき説明したが、いずれの実施形態においても、ケーブルの一方の端部が、ファン、電源部、制御部又は電力変換部のいずれかに直接接続されていてもよい。
【０１２１】
（取出防止機構）
いずれの実施形態においても、各接続ケーブルが取り付けられた状態では制御部を制御部収納ポケットから取り出せなくするための取出防止機構が備えられることが望ましい。これによって、ケーブルが取り付けられたままの状態で制御部が取り出され、各接続ケーブル及び端子に負荷が掛かることを防止できる。
【０１２２】
（落下防止機構）
いずれの実施形態においても、制御部が制御部収納ポケット１４内部から、前身頃開口部１１４を通って服本体１内部に落下しないようにするための、落下防止機構が備えられることが望ましい。
【０１２３】
（警告手段）
いずれの実施形態においても、制御部は、電源部の電池残量が少なくなった場合や、いずれかの部材に異常が生じた場合に、音、振動等で警告を発する警告手段を備えることが望ましい。
【０１２４】
（ケーブル通し）
いずれの実施形態においても、各接続ケーブルを服地部内側において保持するためのケーブル通しを、服地部内側の所定の一又は複数の位置に備えることが望ましい。これによって、各接続ケーブルが服地部内側において安定的に保持されるようになる。
【０１２５】
（生体センサー）
いずれの実施形態においても、服本体の所定の位置に、生体情報の測定を行う生体センサーを備えると共に、制御部に、生体センサーと通信を行うための通信手段を備え、制御部の表示手段が、生体センサーから受信した情報を基に着用者の体調に関する表示を行うようにしてもよい。
【符号の説明】
【０１２６】
１００、１００Ａ、１００Ｂ、１００Ｃ  空調衣服
１、１Ａ  服本体
１１４，１１４Ａ  前身頃開口部
１４、１４Ａ  制御部収納ポケット（ポケット、制御部保持手段）
１９  保持用ループ（制御部保持手段）
２、２Ａ  ファン（空気導入手段）
３、３Ａ  電源部
４、４Ａ、４Ｂ、４Ｃ、４Ｄ  制御部
４１  表示手段
４２、４２Ａ  操作手段
４５  空間確保手段
４６、４６Ａ  クリップ（制御部保持手段）
５、５Ａ  電源部〜制御部接続ケーブル（接続ケーブル）
６  制御部〜ファン接続ケーブル（接続ケーブル）
【図１】
2018193622.tif 000003
【図２】
2018193622.tif 000004
【図３】
2018193622.tif 000005
【図４】
2018193622.tif 000006
【図５】
2018193622.tif 000007
【図６】
2018193622.tif 000008
【図７】
2018193622.tif 000009
【図８】
2018193622.tif 000010
【図９】
2018193622.tif 000011
【図１０】
2018193622.tif 000012
【図１１】
2018193622.tif 000013
【図１２】
2018193622.tif 000014
【図１３】
2018193622.tif 000015
【図１４】
2018193622.tif 000016
【図１５】
2018193622.tif 000017
【図１６】
2018193622.tif 000018
【図１７】
2018193622.tif 000019
【図１８】
2018193622.tif 000020
【図１９】
2018193622.tif 000021
【図２０】
2018193622.tif 000022